(57)【要約】【課題】ディスプレーを本体の横方向へ水平状に引き出して撮影する際と、ディスプレーを本体の背面へ折り畳んで本体を水平状に把持して撮影した画像を再生する時とで、シャトルリングのディスプレーに対する位相が変化しないようにする。【解決手段】ディスプレー９が付設されたディスプレー部９と一体に本体２に対してほぼ９０°回転される回転台５上にシャトルリング２１を一定角度範囲内に回転自在に取り付け、そのシャトルリング２１の中央で、回転台５上にクロスキー２４、２５、２６、２７を搭載した携帯型情報端末装置。【選択図】図６
2007043479.tif 000002
【特許請求の範囲】
【請求項１】
撮像レンズが鏡筒によって正面の一端に取り付けられた本体と、
該本体の背面で、前記鏡筒の背面側に回転部によって回転自在に取り付けられたディスプレー支持部と、
該ディスプレー支持部の前記回転部側とは反対側の端面の幅方向の中央位置に角度調整自在に取り付けられたディスプレー部であって、前記ディスプレー支持部を介して前記回転部と一体に前記本体の背面に重なる折り畳み位置と、該本体の一側方にほぼ直角状に引き出された引き出し位置との間で、前記本体の背面と平行な回転軌跡内に沿って回動自在に構成されたディスプレー部と、
前記回転部の背面に一定角度内でに回転自在に取り付けられた操作用リングであって、前記ディスプレー部が前記折り畳み位置と前記引き出し位置との間で回動される際に、該ディスプレー部と同一の位相状態で回動される操作用リングとを備えた
ことを特徴とする携帯型情報端末装置。
【請求項２】
前記操作用リングの中央にリング状に配置されたクロスキーが該操作用リングと同一位相状態で回動自在に構成されている
ことを特徴とする請求項１に記載の携帯型情報端末装置。
【請求項３】
前記クロスキーの中央に中央キーが配置されている
ことを特徴とする請求項２に記載の携帯型情報端末装置。
【請求項４】
前記操作用リングが画像調整用のシャトルリングに構成されている
ことを特徴とする請求項１に記載の携帯型情報端末装置。
【請求項５】
前記クロスキーがスポットフォーカスキー、タイマーキー、マクロキー、ストロボキー等によって構成されている
ことを特徴とする請求項２に記載の携帯型情報端末装置。
【請求項６】
前記中央キーがシャッターキー兼用の決定キーに構成されている
ことを特徴とする請求項３に記載の携帯型情報端末装置。
【請求項７】
撮像レンズが鏡筒によって正面の一端に取り付けられた本体と、
該本体の背面で、前記鏡筒の背面側に回転部によって回転自在に取り付けられたディスプレー支持部と、
該ディスプレー支持部の前記回転部側とは反対側の端面の幅方向の中央位置に角度調整自在に取り付けられたディスプレー部であって、前記ディスプレー支持部を介して前記回転部と一体に前記本体の背面に重なる折り畳み位置と、該本体の一側方にほぼ直角状に引き出された引き出し位置との間で、前記本体の背面と平行な回転軌跡内に沿って回動自在に構成されたディスプレー部と、
前記回転部の背面に一定角度内でに回転自在に取り付けられた操作用リングであって、前記ディスプレー部が前記折り畳み位置と前記引き出し位置との間で回動される際に、該ディスプレー部と同一の位相状態で回動される操作用リングと、
前記本体又は前記ディスプレー部に付設された携帯電話要素とを備えた
ことを特徴とする携帯型情報端末装置。
【請求項８】
前記操作用リングの中央にリング状に配置されたクロスキーが該操作用リングと同一位相状態で回動自在に構成されている
ことを特徴とする請求項７に記載の携帯型情報端末装置。
【請求項９】
前記クロスキーの中央に中央キーが配置されている
ことを特徴とする請求項８に記載の携帯型情報端末装置。
【請求項１０】
前記操作用リングが画像調整用のシャトルリングに構成されている
ことを特徴とする請求項７に記載の携帯型情報端末装置。
【請求項１１】
前記クロスキーがスポットフォーカスキー、タイマーキー、マクロキー、ストロボキー等によって構成されている
ことを特徴とする請求項８に記載の携帯型情報端末装置。
【請求項１２】
前記中央キーがシャッターキー兼用の決定キーに構成されている
ことを特徴とする請求項９に記載の携帯型情報端末装置。
【発明の詳細な説明】
【技術分野】
【０００１】
本発明は、撮像レンズによって撮影した画像をディスプレーに表示し、シャトルリング等の操作リングによって再生画像の早送り等を自在に行うことができる携帯型情報端末装置に関するものである。
【背景技術】
【０００２】
従来から、カメラ機能が付設された携帯型情報端末装置の一例であるカメラ付携帯電話器として、撮像レンズとディスプレーとが付設されたほぼ長方形状のディスプレー部をテンキーが付設されたほぼ長方形状の本体に対して直角２軸ジョイントによって角度及び方向を調整可能に取り付けたものがある。（例えば、文献１）
【０００３】
しかし、この種、従来のカメラ付携帯電話器では、撮像レンズとディスプレーが同じディスプレーに付設されている関係で、撮像レンズの長方形状の画角を横向きに保ったまま、ディスプレーの長方形状の画角を横向きに保って撮影することはできない。
また、この種、従来のカメラ付携帯電話器では、再生画像を早送り等するシャトルリング等は付設されていない。
【特許文献１】特開２００３−１１０８９５号公報
【発明の開示】
【発明が解決しようとする課題】
【０００４】
解決しようとする問題点は、撮影時には撮像レンズの画角と、ディスプレーの画角とを同じ向きに保って撮影することができ、その撮影時と、撮影後にディスプレーを本体と重なる位置へ折り畳んで撮影画像を再生する再生時とで、シャトルリングを操作する際に、ディスプレー部に対するシャトルリングの位相が変化することがないようにすることである。
【課題を解決するための手段】
【０００５】
本発明の携帯型情報端末装置は、撮像レンズが鏡筒によって正面の一端に取り付けられた本体と、該本体の背面で、前記鏡筒の背面側に回転部によって回転自在に取り付けられたディスプレー支持部と、該ディスプレー支持部の前記回転部側とは反対側の端面の幅方向の中央位置に角度調整自在に取り付けられたディスプレー部であって、前記ディスプレー支持部を介して前記回転部と一体に前記本体の背面に重なる折り畳み位置と、該本体の一側方にほぼ直角状に引き出された引き出し位置との間で、前記本体の背面と平行な回転軌跡内に沿って回動自在に構成されたディスプレー部と、前記回転部の背面に一定角度内でに回転自在に取り付けられた操作用リングであって、前記ディスプレー部が前記折り畳み位置と前記引き出し位置との間で回動される際に、該ディスプレー部と同一の位相状態で回動される操作用リングとを備えたものである。
【発明の効果】
【０００６】
従って、撮影時に、ディスプレー部を本体の横方向へ引き出すことにより、撮像レンズの画角とディスプレーの画角とを同じ向きに保ったまま撮影することができる上に、撮影時と、撮影後にディスプレー部を本体に重なる位置へ折り畳んで撮影画像を再生する再生時とで、ディスプレーに対するシャトルリングの位相が変化することがない。
【実施例１】
【０００７】
図１〜図２２によって、この発明の携帯型情報端末装置の実施例１を説明する。
始めに、図１〜図７に示すように、この携帯型情報端末装置１は、本体２と、その本体２の正面２ａの一端である上端２ｄに鏡筒３によって取り付けられたカメラ要素としての撮影レンズ４と、その本体２の背面２ｂの上端で、撮像レンズ４の後側に回転部である円形状の３回転台５によって回転自在に取り付けられたディスプレー支持部６と、そのディスプレー支持部６の下端の幅方向の中央部に連結軸兼用の回転支点７によって角度調整自在に連結されたディスプレー部８と、そのディスプレー部８の正面２ａに形成されたＬＣＤ等のディスプレー９とによって構成されている。
【０００８】
その際、本体２は縦寸法が長く、横寸法が小さい扁平なほぼ長方体形状に構成されている。また、ディスプレー支持部６は横寸法が本体２の横寸法より若干小さく、縦寸法が本体２の縦寸法がのほぼ１／３に形成された扁平形状に形成され、ディスプレー部８は横寸法がディスプレー支持部６とはほぼ同寸法で縦寸法が本体２の縦寸法のほぼ２／３に形成された扁平形状に形成されている。
そして、本体２の正面２ａは左右両側方に至る程、後方と前方へ絞り込まれた曲面と、下方に至る程、後方へ絞り込まれた曲面との２次曲面に形成され、ディスプレー支持部６の背面６ｂは左右両側方に至る程前方へ絞り込まれた曲面に形成され、ディスプレー部８の背面８ｂは左右両側方に至る程前方へ絞り込まれた曲面と、他端である下端２ｅに至る程、前方へ絞り込まれた曲面との２次曲面に形成されている。従って、この携帯型情報端末装置１は全体としてスリムな印象を使用者に実感させるための意匠上の工夫がなされている。なお、本体２の背面２ｂと、ディスプレー支持部６及びディスプレー部８の正面６ａ、８ａは互いに平行な平面に形成されていて、これらの背面２ｂと正面６ａ、８ａとの間には僅かな隙間１０が形成されている。
【０００９】
なお、本体２の背面２ｂと平行で、この本体２の厚み方向のほぼ中心に沿って上下方向に延びる第１の基準線Ｐ１に対して撮像レンズ４の光軸Ｐ２は後述するように９０°（＝θ１）より大きい上向き角度（前方に至るに従って上方へ傾く角度）（＝θ２）に設定されている。また、回転部である回転台５の回転軸心Ｐ３は基準線Ｐ１に対して９０°（＝θ３）に設定されていて、この回転軸心Ｐ３は撮像レンズ４の光軸Ｐ２とほぼ重なる位置に設定されている。
これにより、ディスプレー部８はディスプレー支持部６及び回転台５と一体に、本体２の背面で、回転軸心Ｐ３の周りに、図１に示すように本体２の背面２ｂに重ねられた折り畳み位置と、図３、図６等に示すように、本体２の一側方である左側へほぼ直角状に引き出された位置との間で、隙間１０を保って、ほぼ９０°の範囲で、矢印ａ、ｂ方向に回動自在に構成されている。
【００１０】
次に、図７に示すように、回転台５と本体２の鏡筒３の真後ろとの間には、ディスプレー支持部６とディスプレー部８とを１点鎖線で示す折り畳み位置Ｐ１１と２点鎖線で示す引き出し位置Ｐ１２との間の中間位置Ｐ１３（デットポイント）であって、実線で示すように折り畳み位置Ｐ１１寄りに設定された中間位置Ｐ１３を起点にして折り畳み位置Ｐ１１側と引き出し位置Ｐ１２側とにほぼ９０°の角度（θ１１）内で矢印ａ、ｂ方向に自動的に反転して回転駆動する自動反転機構１５が組み込まれている。因に、中間位置Ｐ１３と折り畳み位置Ｐ１１間を例えばほぼ１５°の角度（θ１２）に設定し、中間位置Ｐ１３と引き出し位置Ｐ１２間を例えばほぼ７５°の角度（θ１３）に設定することができる。
この自動反転機構１５は、中間位置Ｐ１３を起点にして、ディスプレー支持部６を矢印ａ方向と矢印ｂ方向とに自動的に反転駆動するトグルスプリング等の反転ばね機構（図示せず）と、その反転ばね機構によって中間位置Ｐ１３から矢印ａ方向へ回転駆動されたディスクプレー支持部６を折り畳み位置Ｐ１１で停止保持するストッパー１６、１７と、反転ばね機構によって中間位置Ｐ１３から矢印ｂ方向へ回転駆動されたディスクプレー支持部６を引き出し位置Ｐ１２で停止保持するストッパー１８、１９とによって構成されている。
【００１１】
また、図３〜図５に示すように、ディスプレー支持部６とディスプレー部８とが本体２の左側の位置出し位置Ｐ１２まで矢印ｂ方向へ引き出された後に、ディスプレー部８を回転支点７を中心にディスプレー支持部６に対して矢印ｃ、ｄ方向へ１８０°反転させることにより、そのディスプレー部８のディスプレー９が真後ろを向くように構成されている。なお、ディスプレー部８が図４、図５等に示すように、真後ろを向いた状態で、このディスプレー部８がディスプレー支持部６に対してクリック機構（図示せず）によって自動的に位置決めされるように構成されている。
更に、このディスプレー部８の１８０°回転状態で、ディスプレー部８を回転支点７を中心にディスプレー支持部６に対して前後方向である矢印ｃ、方向に最大で約２７０°等の一定角度に自在に角度調整することができるように構成されている。
【００１２】
そして、例えば、図１、図６、図８に示すように、ディスプレー支持部６の上端の回転台５の背面上にはほぼ同一直径の操作リングの一例であるシャトルリング（ジョグダイヤル）２１が回転台５と同一軸心Ｐ３の周りに中点（ニュートラルポジション）Ｐ２０から  両方向である矢印ｃ、ｄ方向へ同じ角度（θ２１、θ２２）分の回転位置Ｐ０１、Ｐ０２までの一定角度（θ２１＋θ２２）内で矢印ｅ、ｆ方向に回転自在に取り付けられている。なお、このシャトルリング２１の外周２１ａにはローレット等の手指のすべり止め用の凹凸面２２が形成され、このシャトルリング２１の背面２１ｂの直径方向の２箇所には手指のすべり止め用リブ２３が形成されている。
また、回転台５の背面上で、シャトルリング２１の中央穴２１ｂ内には４つのクロスキーであって、それぞれ扇形のストロボキー２４、マイクロキー２５、タイマー２６及びスポットキー２７が搭載されている。また、回転台５の背面でこれらのクロスキー２４、２５、２６及び２７の中央にはシャッターボタン兼用の決定用キー２８が搭載されている。
そして、ディスプレー部８がディスプレー支持部６と一体に折り畳み位置Ｐ１１と引き出し位置Ｐ１２との間で矢印ａ、ｂ方向へ回転駆動される際に、これらシャトルリング２１とクロスキー２４、２５、２６及び２７と、決定用キー２８がディスプレー部８と同一位相状態で矢印ａ、ｂ方向へ回転されるように構成されている。
【００１３】
そして、本体２の背面２ｂにはフォトボタン３０とムービーボタン３１と、フォト−ムービーを切り換えるモードボタン３２やズームボタン３３、ハイブリッドスイッチ３４や５秒ＲＥＣスイッチ３５等が搭載されている。
また、ディスプレー部８の正面８ａの端面にはディスプレーボタン３７、フォトボタン３８、ムービーボタン３９が搭載されている。ディスプレー支持部６の背面６ｂにはインデックスボタン４０、サイズ・デリット切り換えボタン４１、メニューボタン４２が搭載されている。
更に、図３に示すように、本体２の一方の側面２ｃには、パワーボタン４４、コネクターソケット４５やストラップ装着部４６が搭載されている。また、本体２の下端２ｅには充電用コネクター差込み用のソケット４７が搭載されていて、本体２の背面２ｂと側面２ｃとのコーナー部分には複数のＶＨＧランプ４８が搭載されている。
また、鏡筒３の正面の上端にはフラッシュ４９が搭載され、本体２の正面２ａの上端側の一側部には撮影確認用ランプ５０が搭載されている。
【００１４】
ここで、この携帯型情報端末装置１の以上述べた実施形態に基づく使用方法に付いて説明する。
（１）、始めに、図１及び図２に示すように、携帯型情報端末装置１のディスプレー支持部６及びディスプレー部８が本体２の背面２ｂの折り畳み位置へ折り畳まれている状態で、図２に示すように、ディスプレー支持部６及びディスプレー部８を本体２の上側に向けた状態で、右手で本体２の正面２ａ側を包み込むように軽く握る。
（２）、次に、右手親指をディスプレー支持部６の側面６ｄに軽く当がって、その右手親指でディスプレー支持部６を矢印ｂ方向へ軽く押す。
すると、ディスプレー支持部６とディスプレー部８が一体に、自動反転機構１５の反転ばね機構のばね力に抗して矢印ｂ方向へ回転され、これらディスプレー支持部６とディスプレー部８が図７に示した中間位置Ｐ１３を矢印ｂ方向へ乗り越えた瞬間に、上記反転ばね機構のばね力によって、これらディスプレー支持部６とディスプレー部８が図７に示した引き出し位置Ｐ１２まで矢印ｂ方向に自動的に引き出される。
【００１５】
（３）、そこで、図４及び図５に示すように、左手でディスプレー部８の上下を摘んで、このディスプレー部８を図３等に示した回転支点７を中心に矢印ｃ方向へ１８０°反転させて、そのディスプレー部８のディスプレー９を後方へ向ける。
（４）、後は、左手でディスプレー部８のディスプレーボタン３７を押して、ディスプレー９を点灯させ、右手親指でモードボタン３２によってフォトとムービーの先端を行い、右手親指でクロスキー２４、２５、２６及び２７を適宜押して、スポットフォーカス、ストロボ設定、マクロ設定、タイマー設定等を適宜行った後に、右手親指で決定キー２８を押して設定状態を決定する。
（５）、更に、右手親指で、シャトルリング２１の外周２１ａのすべり止め用凹凸面２２やすべり止め用リブ２３を押圧して、このシャトルリング２１を中点Ｐ０から一定角度（θ１１＋θ１２）内で矢印ｅ、ｆ方向へ回転調整して、撮影時の露出調整を行った後に、右手親指でフォトボタン３０又はムービーボタン３１を押して、静止画又は動画を撮影する。
この際、被写体に対する撮像レンズ４の角度町政に伴うディスプレー９の角度変化の修正を行うべく、左手でディスプレー部８をディスプレー支持部６に対して回転支点７の周りに矢印ｃ、ｄ方向に角度調整して、ディスプレー９が撮影者の顔を正しく向くように修正して撮影する。
（６）、そして、撮影時には、図９に示すように、ディスプレー９を背面側に向けたままで、ディスプレー部８をディスプレー支持部６と一体に本体２の背面２ｂ上に折り畳んだ状態で、携帯型情報端末装置１の左右両端を左右両手で把持し、左手親指でフォトボタン３８又はムービーボタン３９を押して、撮影済みの静止画又は動画をディスプレー９に写し出す。
そして、撮影時と同時に、シャトルリング２１を右手親指で中点Ｐ２０から一定角度（θ２１＋θ２２）内で矢印ｅ、ｆ方向へ回転調整することにより、静止画や動画の順方向と逆方向との早送りを行うことができる。
【００１６】
この際、例えば図４に示すように、ディスプレー部８をディスプレー支持部６と一体に本体２の左方向の引き出し位置Ｐ１２へ引き出して、そのディスプレー８のディスプレー９を水平状態にセットした状態で撮影する際と、図９に示すように、ディスプレー部８をディスプレー支持部６と一体に本体２の背面の折り畳み位置Ｐ１１まで折り畳んだ状態で、ディスプレー部８のディスプレー９を水平状態にセットして撮影画像を再生する際とで、そのディスプレー９に対するシャトルリング２１とクロスキー２４〜２７の位相状態であるディスプレー９に対する中点Ｐ２０と、その中点Ｐ２０に対する一定角度（θ２１＋θ２２）の回転方向（矢印ｅ、ｆ方向）を常に同じ状態にすることができる。
従って、図９の折り畳み状態で、シャトルリング２１を右手親指等で矢印ｅ、ｆ方向に回転調整して再生画像の順方向や逆方向の早送りを行う操作を撮影時と同様に、何の違和感もなく、スムーズに行うことができる特徴がある。
【００１７】
次に、図１の（Ｃ）及び図１０によって、本体２に対する撮像レンズ４の角度設定の第１の例についての特徴を説明する。
この際、本体２の厚み方向のほぼ中心に沿って上下方向に延びる基準線を第１の基準線Ｐ１とし、その第１の基準線Ｐ１に対して直角θ１の基準線を第２の基準線Ｐ２とした時に、撮像レンズ４の光軸Ｐ２を第２の基準線Ｐ２に対して本体２の前方に至るに従って高くなるような小角度θ２の仰角に設定している。
そして、この撮像レンズ４の角度θ２は好ましくは、４°〜１０°であり、最も好ましくは、５°〜８°である。
換言すれば、撮像レンズ４の光軸Ｐ３は、第１の基準線１に対して好ましくは、９４°〜１００°であり、最も好ましくは、９５°〜９８°の角度θ３に設定されている。
因みに、回転台５の軸心Ｐ４は第２の基準線Ｐ２とほぼ一致している。
【００１８】
このように構成された撮像レンズ４の光軸Ｐ２の設定により、図１０に示すように、使用者（撮影者）が例えば右手で携帯型情報端末装置１の本体２を把持して、撮像レンズ４の光軸Ｐ２を被写体に向けて、静止画や動画の撮影を行う際、本体２の垂直状の第１の基準線Ｐ１を鉛直線ＰＯ１に対して例えば、ほぼ５°分の角度θ４の仰角分だけ前傾（前方、下方へ傾斜）させた状態に構えた時に、撮像レンズ４の光軸Ｐ２がほぼ水平状に設定されると共に、ディスプレー９の画面が例えば５°分だけ上向きに傾斜されることになる。
つまり、一般に、携帯型情報端末装置１によって静止画や動画を撮影する際に、撮影者は顔（頭部）ＦＳを僅かに前傾（前方、下方へ傾けること）させ、かつ、携帯型情報端末装置１をその顔（頭部）の向きとほぼ平行になるように、僅かに前傾させて構えるのが、最も自然、かつ、楽な姿勢（＝設定態様）となる。
【００１９】
他方、撮影者が携帯型情報端末装置１の本体２を例えば右手で把持して鉛直状に構える場合に比べて、やはり本体２を僅かでも前傾させて構える方がディスプレー９の画面が非常に見易くなる。
【００２０】
然るに、この携帯型情報端末装置１においては、例えば右手で把持した本体２を、例えば５°の角度θ４だけ僅かに前傾された撮影者の顔（頭部）ＦＳに自然に合わせる（平行にする）ように例えば５°分だけ僅かに前傾させた状態にセットした時に、自然に、撮像レンズ４の光軸Ｐ２がほぼ水平状態に設定される一方、ディスプレー９の画面は例えばほぼ５°分だけ上向きの傾斜状態に設定することができる。
この結果、撮影者は視線Ｐ４を僅かに上向きに傾斜されているディスプレー９の画面に後方、上方から最も楽な姿勢で落とす（画面を見ること）ことができる。そして、そのディスプレー９の画面を斜め上方から最も楽な姿勢で直視しながら、前述した例えば右手親指等にてシャトルリング２やクロスキー２４、２５、２６、２７や決定キー２８、モードボタン３２、フォトボタン３０やムービーボタン３１その他の操作ボタンを操作することができる。そして、光軸Ｐ２がほぼ水平状に設定させている撮像レンズ４によって静止画や動画を最も楽な姿勢で、正確、かつ、スムーズに撮影することができる特徴が得られる。
【００２１】
次に、図１１によって、本体２に対する撮像レンズ４の角度設定の第２の例についての特徴を説明する。
始めに、本体２の下端２ｅの内部の一側部位置にアルミ合金やエンジニアリング・プラスチック等の軽量・高強度の部材で角柱形状に成形された三脚装着台６１が垂直状に固着されていて、この三脚装着台６１の中央部の下端には三脚台装着用のねじ穴（雌ねじ）６２が同心状に形成されている。
そして、図１０と同様に、本体２の厚み方向のほぼ中心に沿って上下方向に延びる第１の基準線Ｐ１に対して第２の基準線Ｐ２が直角θ１に設定されている状態で、その第２の基準線Ｐ２に対して撮像レンズ４の光軸Ｐ２が前方に至るに従って高くなるような好ましくは４°〜１０°、最も好ましくは５°〜８°の小角度θ２の仰角に設定されてる。
その上に、三脚装着台６１のねじ穴６２の鉛直状の軸心Ｐ５を本体前２の上述した第１の基準線Ｐ１に対して上方へ至るに従って後方（正面２ａ側の反対側の意味）へ傾く小角度θ５の仰角に設定したものである。
【００２２】
そして、携帯型情報端末装置１がこのように設定された撮像レンズ４の光軸Ｐ３と三脚装着台６１のねじ穴６１の軸心Ｐ５の関係を有していれば、図１１に示すように、ハンディイ型ビデオカメラ（ビデオムービー）用等の三脚台６３上にセットして撮像レンズ４によりパンニングしながら動画撮影を行う際に非常に好都合となる。
この際、ハンディイ型ビデオカメラ（ビデオムービー）用等の三脚台６３は、水準器６４が付設された固定台６５の上部にカメラ装着台６６がパン／チルト可能に搭載されていて、録画ボタン６７等を備えたパン／チルト用ハンドル６８によってカメラ装着台６６のパン／チルトがなされるように構成されいる。そして、通常多用される操作は、水準器６４によって水平にセットされたカメラ装着台６６上に装着ねじ６９によって水平に装着されたハンディイ型ビデオカメラ（ビデオムービー）を水平方向へ回動させながら撮影するパン操作（水平回動動作）である。
【００２３】
そこで、三脚台６３の水平状にセットされたカメラ装着台６６上に携帯型情報端末装置１を本体２によって載置して、その本体２の三脚装着台６１のねじ穴６２に装着ねじ６９を下方から締結して、その三脚装着台６１をカメラ装着台６６上に鉛直状にセットし、ねじ穴６２の軸心Ｐ５を鉛直状に設定すると、本体２の第１の基準線Ｐ１がねじ穴６２の軸心Ｐ５に対して上方へ至るほど前方へ小角度θ５相当分傾く前傾角度によって、撮像レンズ４の光軸Ｐ３の角度θ２がキャンセルされて、その撮像レンズ４の光軸Ｐ３がほぼ水平状態に自動的にセットされることになる。
これにより、ハンドル６８による撮像レンズ４のパン（水平回動操作）が行われる際に、撮像レンズ４の光軸Ｐ３を水平面内で容易に、かつ、安定良くパンニングさせることができて、発生動画撮影のパンニングを容易に、かつ、安定して行うことができる。
【００２４】
但し、図１２に示すように、図１１に示した三脚装着台６１のねじ穴６２の軸心Ｐ５を本体２の第１の基準線Ｐ１と一致させて置き、携帯型情報端末装置１の本体２をハンディイ型ビデオカメラ（ビデオムービー）用等の三脚台６３の水平状にセットされたカメラ装着台６６上に本体２を載置して、装着ねじ６９を三脚装着台６１のねじ穴６２に下方から締結して、本体２をカメラ装着台６６上に鉛直状にセットし、撮像レンズ４の光軸Ｐ３に５°等の仰角を設定して遠景の静止画撮影等を容易に行うことも可能である。
【００２５】
次に、図１３〜図２０によって、携帯型情報端末装置１において、バッテリーや電子メモリ及びその他の特に扁平形状の脱着用素子を収納する収納部７１における開閉蓋装置７２について説明する。
但し、ここでは、脱着用素子として扁平形状のバッテリー７３が使用されている。
始めに、本体２の下端（底部）２ｅの内部に垂直状に固着されている角柱形状の三脚装着台６１の横位置に、扁平形状で角型形状の収納部７１が下向きに開口された状態で、その三脚装着台６１と平行となる垂直状に形成されている。
そして、バッテリー７３がこの収納部７１に矢印ｇ、ｈ方向から挿入・離脱自在に構成されている。
なお、収納部７１内の底部７１ａにはバッテリー７３の挿入方向側の端面７３ａの複数この端子７４に対して弾性的に圧着される複数の圧着端子７５がマウントされている端子基板７６が水平状に設置されている。また、この収納部７１内の底部７１ａの一側部にはコイルスプリング等のバッテリー７３の押出用ばねが組み込まれている。
【００２６】
他方、収納部７１の開口部７１ｂの一側部には、その開口部７１ｂ全体を開閉する開閉蓋７８と、その開閉蓋７８の一端側の内側に配置されたバッテリー７３の抜け落ち防止用の係止部材９１とが設置されている。
そして、開閉蓋７８は、横断面形状がほぼコ字状に形成されていて、アルミ合金やエンジニアリングプラスチック等の軽量で、高剛性の部材で加工された回動アーム７９と、プラスチック等にて成形されたスライド蓋８０と、金属等の板ばね８１との３部品で構成されている。
そして、回動アーム７９は二又形状部７９ａと水平状の蓋支持アーム部７９ｂとによって形成されていて、二又形状部７９ａの先端が角柱形状で、高剛性の三脚装着台６１の両側に一対で、同心状の回動支点である一対の支点ピン８２によって図１５、図１６に示す閉位置と図１７、図１８に示す開位置との間でほぼ１５０°以上の大きな回転角で矢印ｉ、ｊ方向へ開閉（回動）自在に取り付けられている。なお、三脚装着台６１の側面には開閉蓋１７のストッパー９０が形成されていて、回動アーム７９は開位置でそのストッパー９０に当接して止まるようになされている。
【００２７】
他方、プラスチック等で成形されたスライド蓋８０は断面形状がほぼコ字状に形成されていて、このスライド蓋８０のほぼ水平状部分８０ａの内側が回動アーム７８の水平状の蓋支持アーム部７９ｂにスライド自在に載置され、プラスチック等にて成形された水平状の押え部材８３によってその蓋支持アーム部７９ｂを内外からスライド可能に押え込んでいる。
従って、スライド蓋８０は回動アーム７９の蓋支持アーム部７９ｂの長さ方向に沿って矢印ｋ、ｍ方向に一定範囲内でスライド自在に取り付けられている。
そして、板ばね８１が回動アーム７９の蓋支持アーム部７９ｂ上に固着されていて、その板ばね８１の先端８１ａがスライド蓋８０の内側で、そのスライド蓋８０の回動アーム７９に対するスライド方向である矢印ｋ、ｍ方向の２箇所に形成されている位置決め用凹部８４、８５に選択的に係止されるように構成されている。
なお、スライド蓋８０の長さ方向（＝スライド方向）の両端に一体成形された２つの係止用突起８６、８７が矢印ｋ、ｍ方向から係合・離脱される２つの係止部８８、８９が三脚装着台６１の側面と、本体２の一部とに形成されている。
【００２８】
また、バッテリー７３の抜け落ち防止用の係止部材９１もアルミ合金やエンジニアリングプラスチック等の軽量で、高剛性の部材によって構成されていて、係止部９１ａと、左右一対のアーム部９１ｂとによってほぼコ字状に形成されている。
そして、この係止部材９１は収納部７１の開口部７１ｂで、三脚装着台６１側とは反対側のコーナー位置Ｐ４０内に配置されている。そして、この係止部材９１の係止部９１ａはバッテリー７３の挿入方向とは反対側であるバッテリー７３の抜き取り方向側の端面７３ａと直交し、その係止部９１ａの両端から平行に延出された左右一対のアーム部９１ｂは収納部７１の厚み方向の両側を跨ぐように組み込まれ、これら一対のアーム部９１ｂの先端が回動支点である左右一対の支点ピン９２によって収納部７１の厚み方向の両側に矢印ｎ、ｏ方向へ回動自在に取り付けられている。
そして、左右一対のアーム部９１ｂは左右一対の支点ピン９２を中心としてバッテリー７３の厚み方向の投影面積内で矢印ｎ、ｏ方向へ回動自在に構成され、係止部９１ａはバッテリー７３の端面７３ｂと直交する係止位置と、その係止位置からバッテリー７３の端面７３ｂの一方に側面７３の横側方へ逃がされた係止解除位置との間で小角度（ほぼ７０°以内）で矢印ｎ、ｏ方向へ回動されるように構成されている。なお、本体２の収納部７１の開口部７１ａコーナー位置Ｐ４０の横外方位置には、係止部材９１の係止部９１ａを受け止める係止部材受け９４が一体成形されている。
【００２９】
ここで、以上述べた開閉装置７２の操作方法を順次説明する。
始めに、図１８及び図１９の（Ｂ）に示すように、開閉蓋７８全体を左右一対の支点ピン８２を中心に開放位置まで矢印ｉ方向へ開放してストッパー９０で停止する。
次に、指先で係止部材９１の係止部９１ａを矢印ｏ方向へ押して、その係止部材９１を左右一対の支点ピン９２を中心に収納部７１の外側の開放位置まで矢印ｏ方向へ回動させて、その収納部７１の開口部７１ａを完全開放し、その係止部材９１の係止部９１ａを係止部材受け９４上に載置する。
次に、図１８に実線で示すように、バッテリー７３を収納部７１の開口部７１ａから収納部７１内に矢印ｇ方向から挿入して、そのバッテリー７３の他方の端面７３ｂを他の指先で矢印ｇ方向に少し押し込んで、このバッテリー７３を押出用ばね７７に抗して矢印ｇ方向へ少し沈み込ませた状態で、図１７及び図１９の（Ａ）に示すように、係止部材９１を矢印ｎ方向へ押して、その係止部材９１を左右一対の支点ピン９２を中心に収納部７１の内側に向けて矢印ｎ方向へ回動させて、その係止部材９１の係止部９１ａをバッテリー７３の端面７３ｂのコーナー部分に直角状に係止して、指先を係止部材９１から離す。
すると、図１７及び図１９の（Ａ）に示すように、バッテリー７３が押出用ばね７７によって矢印ｇ方向へ少し押し戻されて、そのバッテリー７３の端面７３ｂが係止部材９１の係止部９１ａに直角状に当接されて、係止され、収納部７１からのバッテリー７３の抜け落ちが禁止される。
【００３０】
次に、図１６に示すように、開閉蓋７８全体を図１６、図１７に示す開放位置から図１６に示す仮閉塞位置（収納部７１の開放部７１ａをバッテリー７３の脱着方向である矢印ｇ、ｈ方向に対する直角方向に閉塞する位置）まで左右一対の支点ピン８２を中心に矢印ｊ方向へ回動する。
すると、この位置で開閉蓋７８が三脚装着台６１の側面に一体成形されているストッパー９０で受け止められて、この開閉蓋７６がバッテリー７３の端面７３ｂとほぼ平行状態にセットされる。
そこで、図１５に示すように、この後に、図１３、図１４に示されているように、開閉蓋７８のスライド蓋８０の外面で矢印ｋ方向側に成形されている手指滑り止め部８０ａに手指先を押し付けるようにして、このスライド蓋８０を回動アーム７９の蓋支持アーム部７７ｂに沿って図１６に示すロック解除位置から図１５に示すロック位置間で矢印ｋ方向へスライド操作すると、そのスライド蓋８０の一対の係止用突起８６、８７が本体２の一対の係止部８８、８９に矢印ｋ方向から同時に係止される。そして、回動アーム７９の板ばね８１の先端８１ａがスライド蓋８０の一方の位置決め用凹部８４内に相対的に係止されて、スライド蓋８０がクリック的にロックされる。
この時、図１５に示すように、スライド蓋８０の矢印ｋ方向側の端部８０ｂによって係止部材受け９４と共に係止部材９１の係止部９１ａが閉塞され、かつ、そのスライド蓋８０の端部８０ｂ近傍部の内側に一体成形されている解除防止部８０ｃが係止部材９１の係止部９１ａに矢印ｋ方から近接又は当接される。従って、開閉蓋７８の閉塞・ロック状態では、係止部材９１が図１５に示すバッテリー係止位置から図１８に示す係止解除位置へ矢印ｏ方向へ不用意に回転されて、バッテリー７３が収納部７１内でがガタ付いたり、そのガタ付きによって開閉蓋８０の閉位置でのロックが解除されてしまうような不都合は発生しない。故に、高い安全性が得られる。
【００３１】
以上により、開閉蓋７８の閉動作が完了し、係止部材９１と開閉蓋７８とによってバッテリー７３が収納部７１内に２重に係止されることになる。
即ち、ほぼコ字状の係止部材９１によってバッテリー７３の端面７３ｂのコーナー部分が直角状に係止されている上に、開閉蓋７８のスライド蓋８０が一対の係止用突起８６、８７によって本体２の一対の係止部８８、８９にバッテリー７３の抜け落ち方向である矢印ｈ方向に対して直角な方向から係止され、且つ、板ばね８１によって係止されているので、仮に、係止部材９１がバッテリー７３の端面７３ｂのコーナー部分から矢印ｏ方向へ外れるようなことがあって、バッテリー７３の荷重が開閉蓋７８に矢印ｈ方向から直角に加えられるようなことがあっても、開閉蓋７８のスライド蓋８０が不用意に矢印ｍ方向へ逃げて、スライド蓋８０が本体２の一対の係止部８８、８９から矢印ｍ方向へ離脱することが皆無であり、開閉蓋７８全体が本体２から矢印ｉ方向へ不用意に開放されることを未然に防止することができる。
【００３２】
なお、バッテリー７３の取り出し時には、前述した操作の逆の操作を行う。
即ち、開閉蓋７８のスライド蓋８０を回動アーム７９に対して図１５に示すロック位置から図１６に示すロック解除位置まで矢印ｍ方向にスライド操作して、一対の係止用突起８６、８７を一対の係止部８８、８９から矢印ｍ方向へ離脱する。この時、板ばね８１の先端８１ａが位置決め用凹部８４から８５を相対的に矢印ｋ方向へスライドされて、その位置決め用係止部８５内に再びクリック的に係合されるので、スライド蓋８０は回動アーム７９に対して矢印ｍ方向へスライドされた位置に仮止めされる。
次に、図１７に示すように、開閉蓋７８全体を一対の左右一対の支点ピン８２を中心に図１７に示す完全開放位置まで矢印ｉ方向へ回動させて開き、図１８及び図１９の（Ｂ）に示すように、指先でバッテリー７３を矢印ｇ方向へ押出用ばね７７に抗して少し押し込んだ状態で他の指先で係止部材９１を左右一対の支点ピン９２を中心に開放位置まで、矢印ｏ方向へ回動させるように逃がすと、図１８に２点鎖線で示すように、バッテリー７３が押出用ばね７７によって収納部７１内から上方である矢印ｈ方向へポップアップされる。
従って、この後に、バッテリー７３の端面７３ｂを指先で摘む等して収納部７１内から容易に抜き取ることができる。
ところで、この開閉蓋装置７２によれば、開閉蓋７８の軽量・高剛性の回動アーム７９を本体２内に固着されている軽量・高剛性の三脚装着台６１の両側面に一対の支点ピン８２によって回動自在に取り付けた構造を有していることから、この開閉蓋７８及びその取付構造が非常に丈夫であり、携帯型情報端末装置１を床上等に不用意に落下させたり、他物に衝突させるようなことがあっても、回動アーム２９が容易に破損されることがなく、高耐久性を持続することができる。
【００３３】
以上記述した、開閉蓋装置７２は次のような特徴を有している。
（１）係止部材９１の係止部９１ａがバッテリー７３の抜き取り方向側の端面７３ａを直交する状態で係止するので、バッテリー７３を収納部７１内に確実に係止することができ、収納部７１内からのバッテリー７３の不用意な脱落を未然に防止することができ、安全性が非常に高い。
（２）係止部材９１の係止部９１はバッテリー７３の端面７３ｂと直交しているので、その係止部９１へ手指先を容易に掛けることができるので、手指先でこの係止部材９１を係止位置と係止解除位置との間で矢印ｎ、ｏ方向へ回動操作することが容易であり、高い操作性を得ることができる。
（３）係止部材９１の係止部９１ａをバテッリー７３の係止位置と係止解除位置との間で矢印ｎ、ｏ方向へ回動する際、左右一対のアーム部９１ｂはバッテリー７３の投影面積内で回動されるので、収納部７１の矢印ｍ方向側の横側部に左右一対のアーム部９１の回動スペースを敢えて形成する必要がなく、省スペース化による携帯型端末装置１の小型化を促できる。
（４）係止部材９１がほぼコ字状に形成されていて、構造的に強固である。
（５）回動機能とスライド機能を有する開閉蓋７８のスライド蓋８０をロック解除位置からロック位置へスライドして、該スライド蓋８０を本体２にロックした時に、このスライド蓋８０の内側に形成されている解除防止部８０ｃによって係止部材９１を押さえて、この係止部材９１が係止位置にから係止解除位置へ不用意に回転されることを防止することができるので、安全性が非常に高い。
（６）開閉蓋７８が二又形状部７９によって高強度の三脚装着台６１の両側に左右一対の支点ピン８２によって回動自在に取り付けられているので、構造的に非常に堅牢であり、耐久性が非常に高い。
【００３４】
次に、図２２の（Ａ）（Ｂ）によって、係止部材９１の変形例について説明する。
この場合は、図２２の（Ａ）に示すように、係止部材９１が左右一対の支点ピン９２を中心に矢印ｎ方向へ回動されて、その係止部９１ａがバッテリー７３の端面７３ｂに当接された状態の時に、その係止部材９１の矢印ｎ、ｏ方向の幅ｗの中心と左右一対の支点ピン９２との中心を通る中心線Ｏ１がバッテリー７３の端面７３ｂに対して直角θ４０に設定されるように構成したものである。
このように構成すると、バッテリー７３の端面７３ｂが前述した押出用ばね７７によって係止部材９１の係止部９１ａに矢印ｈ方向から弾性的に押圧された時に、係止部９１ａがバッテリー７３の端面７３ｂを平行に受け止めることができて、係止部材９１によるバッテリー７３の抜け落ち防止力を更に向上させることができて、高信頼性の開閉蓋装置７２を提供できる。
【００３５】
次に、図２３の携帯型情報端末装置１は、例えば、本体２の平坦な背面２ｂの下端２ｅ寄り等の位置に、電話要素としてのテンキー１０１を付設して、この携帯型情報端末装置１をカメラ要素と電話要素との両方を備えたカメラ・電話兼用の携帯型情報端末装置１に構成したものである。なお、携帯電話器としてのマイクロホン１０３とスピーカー１０４が本体２の背面２ｂの下端２ｅと本体２の上端２ｄ側であるディスプレー支持部６の背面６ｂ等に付設することができる。
そして、この携帯型情報端末装置１を携帯電話器として使用する際には、ディスプレー９が電話用ディスプレーとして使用されることになる。
【００３６】
また、図２４の携帯型情報端末装置１は、上記の電話要素としてのテンキー１０１を本体２の正面２ａに付設して、電話器用のディスプレー１０２を本体２の正面２ａで、テンキー１０１の上部に配置したものであり、図２３に開示の構成と同様に、携帯型情報端末装置１をカメラ・電話兼用の携帯型情報端末装置１として使用することができる。
なお、この場合は、電話器としてのマイクロホン１０３とスピーカー１０４とを本体２の正面２ａの下端２ｅと、本体２の上端２ｄ側である鏡筒３部分と等に付設することができる。
【産業上の利用可能性】
【００３７】
以上、本発明の実施例に付き述べたが、本発明の技術的思想に基づいて各種の変更が可能である。
例えば撮像レンズ４の鏡筒３と、図示省略されている受光素子を含む光学系全体を本体２に対して角度調整自在に取り付けて、撮像レンズ４の光軸Ｐ４の仰角を調整可能に構成することも可能である。
【図面の簡単な説明】
【００３８】
【図１】本発明の携帯型情報端末装置の正面図、背面図及び側面図である。
【図２】本発明の携帯型情報端末装置の取扱い方法を説明する斜視図である。
【図３】本発明の携帯型情報端末装置の取扱い方法を説明する斜視図である。
【図４】本発明の携帯型情報端末装置の取扱い方法を説明する斜視図である。
【図５】本発明の携帯型情報端末装置の取扱い方法を説明する斜視図である。
【図６】本発明の携帯型情報端末装置のディスプレーを本体の一側方へ直角状に引き    出した状態の背面図である。
【図７】本発明の携帯型情報端末装置のディスプレー部の折り畳み位置と引き出し位    置との間での反転作用を説明する背面図である。
【図８】本発明の携帯型情報端末装置のシャトルリングとクロスキーを説明する拡大    背面図である。
【図９】本発明の携帯型情報端末装置の撮影画像の再生時の使用方法を説明する斜視    図である。
【図１０】本発明の携帯型情報端末装置を手で把持して撮影する際の使い易さを説明    する側面図である。
【図１１】本発明の携帯型情報端末装置を三脚台上に装着して撮影する際の使い易さ    を説明する側面図である。
【図１２】本発明の携帯型情報端末装置を三脚台上に装着して撮影する際の使い易さ    を説明する変形例の側面図である。
【図１３】本発明の携帯型情報端末装置のバッテリーの収納部の開閉蓋装置を説明す    る斜視図である。
【図１４】同上の開閉蓋装置の開閉蓋の開閉動作を説明する斜視図である。
【図１５】同上の開閉蓋装置の開閉蓋収納状態での拡大縦断面図である。
【図１６】同上の開閉蓋装置の開閉蓋の開閉動作を説明する拡大縦断面図である。
【図１７】同上の開閉蓋装置の開閉蓋の開閉動作を説明する拡大縦断面図である。
【図１８】同上の開閉蓋装置の開閉蓋の開閉動作を説明する拡大縦断面図である。
【図１９】同上の開閉蓋装置の係止部材によるバッテリーの係止及び係止解除を説明    する斜視図である。
【図２０】同上の開閉蓋装置の分解斜視図である。
【図２１】同上の開閉蓋装置の分解斜視図である。
【図２２】同上の開閉蓋装置の係止部材に関する変形例を説明する断面側面図である    。
【図２３】本発明の携帯型情報端末装置を形態電話器に兼用させた実施例を説明する    背面図である。
【図２４】本発明の携帯型情報端末装置を形態電話器に兼用させた変形例を説明する    正面図である。
【符号の説明】
【００３９】
１    携帯型情報端末装置、  ２    本体、  ３    鏡筒、  ４    撮像レンズ、
５    回転台、  ６    ディスプレー支持部、  ７    ディスプレー部、
９    ディスプレー、  ２１  シャトルリング、  ２４、２５、２６、２７  クロスキー、  θ２１、θ２２  シャトルリングの動作角度
【図１】
2007043479.tif 000003
【図２】
2007043479.tif 000004
【図３】
2007043479.tif 000005
【図４】
2007043479.tif 000006
【図５】
2007043479.tif 000007
【図６】
2007043479.tif 000008
【図７】
2007043479.tif 000009
【図８】
2007043479.tif 000010
【図９】
2007043479.tif 000011
【図１０】
2007043479.tif 000012
【図１１】
2007043479.tif 000013
【図１２】
2007043479.tif 000014
【図１３】
2007043479.tif 000015
【図１４】
2007043479.tif 000016
【図１５】
2007043479.tif 000017
【図１６】
2007043479.tif 000018
【図１７】
2007043479.tif 000019
【図１８】
2007043479.tif 000020
【図１９】
2007043479.tif 000021
【図２０】
2007043479.tif 000022
【図２１】
2007043479.tif 000023
【図２２】
2007043479.tif 000024
【図２３】
2007043479.tif 000025
【図２４】
2007043479.tif 000026